(57)【要約】【課題】プレビュー画像の視認性に優れ、かつ、操作性に優れたユーザー操作で読み取られた画像を修正する。【解決手段】画像形成装置１０は、画像読取部１１０と、通信制御部１０３と、画像処理部１０２と、画像形成部１２０とを備えている。通信制御部１０３は、画像読取部１１０が読み取った画像を当該画像の表示先として外部の携帯端末装置２０に送信するとともに、携帯端末装置２０がユーザー操作に基づき決定した画像の移動量および回転量を受信する。画像処理部１０２は、通信制御部１０３が受信した移動量の移動処理および回転量の回転処理を画像読取部１１０が読み取った画像に施す。画像形成部１２０は、画像処理部１０２が移動処理および回転処理を施した画像を形成する。【選択図】図４
2015142272.tif 000002
【特許請求の範囲】
【請求項１】
画像読取部と、
前記画像読取部が読み取った画像を当該画像の表示先として外部の携帯端末装置に送信する送信部と、
前記携帯端末装置がユーザー操作に基づき決定した前記画像の移動量および回転量を受信する受信部と、
前記画像に対して、前記受信部が受信した移動量の移動処理および前記受信部が受信した回転量の回転処理を施すとともに、処理後の画像を記憶装置に記憶させる画像処理部と、を備える画像処理装置。
【請求項２】
前記画像処理部は、前記移動処理および前記回転処理を施した結果生じる欠落領域に白画像を挿入する処理を行う、請求項１に記載の画像処理装置。
【請求項３】
請求項１または請求項２の画像処理装置と、
前記画像処理部が前記移動処理および前記回転処理を施した画像を形成する画像形成部と、を備える画像形成装置。
【請求項４】
外部の画像処理装置が読み取った画像を受信する受信部と、
前記受信部が受信した画像を表示する表示部と、
前記画像の移動および回転を指示するユーザー操作を受け付ける操作受付部と、
前記操作受付部が受け付けたユーザー操作に基づき、前記画像を移動および回転させて前記表示部に表示させる表示制御部と、
前記表示制御部が前記画像を移動させた移動量および前記画像を回転させた回転量を前記画像処理装置に送信する送信部と、を備える携帯端末装置。
【請求項５】
前記表示部は、タッチパネル機能を有し、
前記操作受付部は、前記タッチパネル機能を用いたジェスチャ操作を受け付け、
前記表示制御部は、前記操作受付部が受け付けたジェスチャ操作に基づき、前記画像を移動および回転させて前記表示部に表示させる、請求項４に記載の携帯端末装置。
【請求項６】
本携帯端末装置の移動および姿勢を検知するセンサーを、更に備え、
前記操作受付部は、前記センサーにより検知された本携帯端末装置の移動および姿勢に基づくユーザー操作を受け付け、
前記表示制御部は、本携帯端末装置の移動に応じて前記画像を移動させるとともに本携帯端末装置の姿勢に応じて前記画像を回転させて前記表示部に表示させる、請求項４に記載の携帯端末装置。
【請求項７】
画像処理装置と、当該画像処理装置と通信可能な携帯端末装置とを備え、
前記画像処理装置は、
画像読取部と、
前記画像読取部が読み取った画像を当該画像の表示先として前記携帯端末装置に送信する送信部と、
前記携帯端末装置がユーザー操作に基づき決定した前記画像の移動量および回転量を受信する受信部と、
前記画像に対して、前記受信部が受信した移動量の移動処理および前記受信部が受信した回転量の回転処理を施すとともに、処理後の画像を記憶装置に記憶させる画像処理部と、を備え、
前記携帯端末装置は、
前記画像処理装置が読み取った画像を受信する受信部と、
前記受信部が受信した画像を表示する表示部と、
前記画像の移動および回転を指示するユーザー操作を受け付ける操作受付部と、
前記操作受付部が受け付けたユーザー操作に基づき、前記画像を移動および回転させて前記表示部に表示させる表示制御部と、
前記表示制御部が前記画像を移動させた移動量および前記画像を回転させた回転量を前記画像処理装置に送信する送信部と、を備える、画像処理システム。
【発明の詳細な説明】
【技術分野】
【０００１】
本発明は、画像処理装置、画像形成装置、携帯端末装置、および画像処理システムに関し、特に、画像読取部が読み取った画像を修正する技術に関する。
【背景技術】
【０００２】
画像形成装置は、画像読取部で読み取った画像の画像形成を行う場合に、当該読み取った画像をプレビュー画像としてユーザーに表示する機能（プレビュー機能）を有している。ユーザーは、画像形成が実行される前にプレビュー画像を確認することで、傾いて読み取られた画像等が画像形成される事態を避けることができる。
【０００３】
しかしながら、上記の画像形成装置では、傾いて読み取られた画像等がプレビュー画像として表示された場合に、再度原稿を画像形成装置にセットして画像を読み取る必要があった。この問題について、特許文献１には、タッチパネル機能を有する表示パネルを備え、当該表示パネルに読み取った原稿をプレビュー画像として表示するとともに、タッチパネル機能を用いてプレビュー画像上で画像の修正を実行可能な画像形成装置が開示されている。これにより、傾いて読み取られた画像等がプレビュー画像として表示された場合であっても、再度原稿を画像形成装置にセットして画像を読み取って修正するユーザーの手間を省くことができる。
【先行技術文献】
【特許文献】
【０００４】
【特許文献１】特開２００４−２８２４３９号公報
【発明の概要】
【発明が解決しようとする課題】
【０００５】
しかしながら、画像形成装置に搭載される表示パネルは、通常小型かつ低解像度のものであり、プレビュー画像を表示するのに適さず、視認性が悪い。また、画像形成装置に搭載されるタッチパネルは、通常１カ所のタッチしか検知できないシングルタッチ方式のものであり、操作性が悪い。画像形成装置に大型かつ高解像度の表示パネルと高感度のタッチパネルとを搭載することで、上記の問題を解消することが考えられるが、この場合、画像形成装置の製造コストが増大する。
【０００６】
本発明は、上記の事情に鑑みなされたものであり、製造コストを抑えつつも、プレビュー画像の視認性に優れ、かつ、操作性に優れたユーザー操作で読み取られた画像を修正することができる画像処理装置、画像形成装置、携帯端末装置、および画像処理システムを提供することを目的とする。
【課題を解決するための手段】
【０００７】
本発明の一局面にかかる画像処理装置は、画像読取部と、前記画像読取部が読み取った画像を当該画像の表示先として外部の携帯端末装置に送信する送信部と、前記携帯端末装置がユーザー操作に基づき決定した前記画像の移動量および回転量を受信する受信部と、前記画像に対して、前記受信部が受信した移動量の移動処理および前記受信部が受信した回転量の回転処理を施すとともに、処理後の画像を記憶装置に記憶させる画像処理部と、を備える画像処理装置である。
【０００８】
また、本発明の別の一局面にかかる画像形成装置は、上記の画像処理装置と、前記画像処理部が前記移動処理および前記回転処理を施した画像を形成する画像形成部と、を備える画像形成装置である。
【０００９】
また、本発明の別の一局面にかかる携帯端末装置は、外部の画像処理装置が読み取った画像を受信する受信部と、前記受信部が受信した画像を表示する表示部と、前記画像の移動および回転を指示するユーザー操作を受け付ける操作受付部と、前記操作受付部が受け付けたユーザー操作に基づき、前記画像を移動および回転させて前記表示部に表示させる表示制御部と、前記表示制御部が前記画像を移動させた移動量および前記画像を回転させた回転量を前記画像処理装置に送信する送信部と、を備える携帯端末装置である。
【００１０】
また、本発明の別の一局面にかかる画像処理システムは、画像処理装置と、当該画像処理装置と通信可能な携帯端末装置とを備え、前記画像処理装置は、画像読取部と、前記画像読取部が読み取った画像を当該画像の表示先として前記携帯端末装置に送信する送信部と、前記携帯端末装置がユーザー操作に基づき決定した前記画像の移動量および回転量を受信する受信部と、前記画像に対して、前記受信部が受信した移動量の移動処理および前記受信部が受信した回転量の回転処理を施すとともに、処理後の画像を記憶装置に記憶させる画像処理部と、を備え、前記携帯端末装置は、前記画像処理装置が読み取った画像を受信する受信部と、前記受信部が受信した画像を表示する表示部と、前記画像の移動および回転を指示するユーザー操作を受け付ける操作受付部と、前記操作受付部が受け付けたユーザー操作に基づき、前記画像を移動および回転させて前記表示部に表示させる表示制御部と、前記表示制御部が前記画像を移動させた移動量および前記画像を回転させた回転量を前記画像処理装置に送信する送信部と、を備える、画像処理システムである。
【発明の効果】
【００１１】
上記の本発明の一局面にかかる画像処理装置、画像形成装置、携帯端末装置、および画像処理システムによれば、製造コストを抑えつつも、プレビュー画像の視認性に優れ、かつ、操作性に優れたユーザー操作で読み取られた画像を修正することができる。
【図面の簡単な説明】
【００１２】
【図１】本発明の一実施形態にかかる画像形成システムの構成を示す斜視図である。
【図２】本発明の一実施形態にかかる画像形成システムの内部構成を示すブロック図である。
【図３】本発明の一実施形態にかかる携帯端末装置の表示部に表示されるプレビュー画面の一例を示す図である。
【図４】本発明の一実施形態にかかる画像形成システムにおける画像形成動作の流れを示すフローチャートである。
【図５】（Ａ）および（Ｂ）は、ユーザーの回転操作により修正される画像の一例を示す図である。
【図６】（Ａ）および（Ｂ）は、ユーザーのスワイプ操作により修正される画像の一例を示す図である。
【図７】（Ａ）および（Ｂ）は、携帯端末装置を傾ける操作により修正される画像の一例を示す図である
【図８】（Ａ）および（Ｂ）は、携帯端末装置を移動させる操作により修正される画像の一例を示す図である。
【発明を実施するための形態】
【００１３】
以下、本発明の一実施形態にかかる画像処理装置、画像形成装置、携帯端末装置、および画像処理システムについて図面を参照して説明する。図１は、本発明の一実施形態にかかる画像処理システムの一例としての画像形成システムの構成を示す斜視図である。図２は、本発明の一実施形態にかかる画像形成システムの内部構成を示すブロック図である。
【００１４】
画像形成システム１は、画像処理装置の一例としての画像形成装置１０と、画像形成装置１０と通信可能な携帯端末装置２０とを備えている。まず、画像形成装置１０の構成について説明する。
【００１５】
画像形成装置１０は、例えば、コピー機能、プリンター機能、スキャナー機能、及びファクシミリ機能等の複数の機能を兼ね備えた複合機である。画像形成装置１０は、装置本体１１と、装置本体１１の上方に対向配置された画像読取部１１０と、画像読取部１１０と装置本体１１との間に設けられた連結部１２とから概略構成される。
【００１６】
装置本体１１は、画像形成部１２０、定着部１３０、給紙部１３、用紙排出部１４、等を備えて構成されている。
【００１７】
画像形成装置１０が画像読取動作を行う場合、原稿搬送部１５により搬送されてくる原稿、又は不図示のコンタクトガラスに載置された原稿を画像読取部１１０が光学的に読み取り、画像を生成する。画像読取部１１０により生成された画像は、内蔵のＨＤＤ（Hard disk drive）１６０に記憶された後に、携帯端末装置２０に送信される。
【００１８】
画像形成装置１０が画像形成動作を行う場合は、上記の画像読取動作により生成された画像や後述する制御ユニット１００の画像処理部１０２により移動処理および回転処理が施された画像に基づいて、画像形成部１２０が、給紙部１３から給紙される記録紙にトナー像を形成する。その後、記録紙上に形成されたトナー像は、定着部１３０により熱定着される。定着処理の完了した画像形成済みの記録紙は、排出トレイ１６に排出される。
【００１９】
画像形成装置１０の前面には、操作部１４０および表示部１５０が配置されている。表示部１５０は、液晶ディスプレイ（ＬＣＤ：Liquid Crystal Display）や有機ＥＬ（ＯＬＥＤ：Organic Light-Emitting Diode）ディスプレイを含んで構成され、画像読取や画像形成に関する設定を受け付けるためのメニュー画面等が表示される。
【００２０】
操作部１４０は、例えば、メニュー画面を呼び出すメニューキー、メニュー画面を構成するＧＵＩのフォーカスを移動させる矢印キー、メニュー画面を構成するＧＵＩに対して確定操作を行う決定キー、文字入力を行うための文字入力キー、数値入力を行うための数値入力キー等を備え、表示部１５０に表示されるメニュー画面に対する操作をユーザーから受け付ける。
【００２１】
ネットワークインターフェイス部１７０は、無線ＬＡＮボード等の通信モジュールから構成される。当該ネットワークインターフェイス部１７０は、後述する通信制御部１０３により制御される。
【００２２】
画像形成装置１０は、更に、制御ユニット１００を備えている。制御ユニット１００は、ＣＰＵ(Central Processing Unit)、ＲＡＭ、及びＲＯＭ等から構成される。制御ユニット１００は、上記のＲＯＭ又はＨＤＤ１６０に記憶された画像形成プログラムが上記のＣＰＵに実行されることにより、制御部１０１、画像処理部１０２、および通信制御部１０３として機能する。なお、制御ユニット１００の制御部１０１、画像処理部１０２、および通信制御部１０３は、画像形成プログラムに基づく動作によらず、それぞれハード回路により構成されてもよい。
【００２３】
制御部１０１は、画像形成装置１０の全体的な動作制御を司る。制御部１０１は、画像読取部１１０、画像形成部１２０、定着部１３０、操作部１４０、表示部１５０、ＨＤＤ１６０、ネットワークインターフェイス部１７０等と接続されている。制御部１０１は、接続されている上記各機構の動作制御や、各機構との間での信号又はデータの送受信を行う。
【００２４】
通信制御部１０３は、ネットワークインターフェイス部１７０を制御して、携帯端末装置２０等とデータの送受信を行う。具体的には、通信制御部１０３は、画像読取部１１０により読み取られた画像を当該画像の表示先として携帯端末装置２０に送信する送信部と、携帯端末装置２０から送信された画像の移動量および回転量を受信する受信部として機能する。ここで、画像の移動量および回転量とは、携帯端末装置２０がユーザー操作に基づき決定される値であり、画像形成装置１０は、当該値に基づき画像読取部１１０により読み取られた画像を修正する。この詳細な内容は後述する。
【００２５】
画像処理部１０２は、画像読取部１１０により読み取られた画像に対して、通信制御部１０３が受信した移動量の移動処理および回転量の回転処理を実行する。ここで、移動処理とは、画像を構成する各画素の位置を水平方向（Ｘ方向）および垂直方向（Ｙ方向）に移動させる処理をいう。また、回転処理とは、画像を構成する各画素の位置を回転移動させる処理をいう。上記の移動処理および回転処理では、画像を構成する各画素の位置を移動させるため、処理後の画像には、画素が欠落した（画素が存在しない）領域が生じる。画像処理部１０２は、当該画素が欠落した領域に例えば、白画像を挿入する。その後、画像処理部１０２により上記の移動処理および回転処理等が施された画像は、ＨＤＤ１６０に記憶され、画像形成部１２０により画像形成される。
【００２６】
続いて、携帯端末装置２０の構成について説明する。携帯端末装置２０は、スマートフォン等の携帯モバイル機器であって、制御ユニット２００、表示部２１０、センサー部２２０、ＨＤＤ２３０、ネットワークインターフェイス部２４０等を備えている。
【００２７】
ネットワークインターフェイス部２４０は、無線ＬＡＮチップ等の通信モジュールから構成される。当該ネットワークインターフェイス部２４０は、後述する通信制御部２０４により制御される。
【００２８】
表示部２１０は、ディスプレイ２１１およびタッチパネル２１２を有している。ディスプレイ２１１は、液晶ディスプレイや有機ＥＬディスプレイ等から構成され、後述する表示制御部２０２による制御の下、画像形成装置１０の画像読取部１１０により読み取られた画像をプレビュー画像として表示する。当該画像読取部１１０により読み取られた画像は、画像形成装置１０から送信され、ネットワークインターフェイス部２４０を介して受信される。なお、ディスプレイ２１１は、画像形成装置１０に搭載された表示部１５０のディスプレイよりも、高輝度、高解像度、高応答速度を有するディスプレイである。
【００２９】
タッチパネル２１２は、例えば、マルチタッチを検出可能な静電容量方式のタッチパネルであって、ディスプレイ２１１の表示画面部分の前面に配置される。タッチパネル２１２は、ディスプレイ２１１の表示画面上におけるユーザーによる接触を接触位置（座標位置）と共に検知する。タッチパネル２１２は、ユーザーによる当該接触を検知すると、当該接触位置を示す検知信号を後述する制御ユニット２００の操作受付部２０３等に出力する。なお、タッチパネル２１２には、表示画面への接触がなくても、ユーザーの指等が表示画面に対して一定距離まで接近した場合に当該指等を検出するタッチパネルも含まれる。このため、本実施形態でいう「接触」には、表示画面への接触がなくても指等が上記一定距離まで接近したことがタッチパネル２１２の機能により検出される状態も、実質的に接触したとして含まれるものとする。
【００３０】
図３は、表示部２１０に表示されるプレビュー画面の一例を示す図である。図３に示す例では、ディスプレイ２１１にプレビュー画面Ｄ１が表示されている。プレビュー画面Ｄ１には、画像読取部１１０により読み取られた画像Ｄ２がプレビュー画像としてディスプレイ２１１に表示されている。詳細は後述するが、当該画像Ｄ２は、タッチパネル２１２によるタッチパネル機能を用いたジェスチャ操作に基づき修正される。また、プレビュー画面Ｄ１には、「印刷」ボタンＤ３が設置されている。ユーザーが当該ボタンＤ３をタッチパネル２１２によるタッチパネル機能を用いて選択すると、後述する制御ユニット２００の操作受付部２０３により、印刷（画像形成）すべき旨の指示が受け付けられる。
【００３１】
センサー部２２０は、加速度センサー２２１および傾きセンサー２２２を有している。加速度センサー２２１は、例えば、静電容量検出方式の加速度センサーであって、可動電極と固定電極とで形成された容量の変化を検出することで、携帯端末装置２０の加速度を検知する。加速度センサー２２１は、携帯端末装置２０の加速度を検知すると、当該加速度を示す検知信号を後述する制御ユニット２００の表示制御部２０２や操作受付部２０３等に出力する。
【００３２】
傾きセンサー２２２は、例えば、振動方式の傾きセンサーであって、検知素子を振動させて当該検知素子に加わるコリオリの力に基づき角速度を検知し、当該角速度から携帯端末装置２０が水平面に対して傾いている傾きを検知する。傾きセンサー２２２は、携帯端末装置２０の傾きを検知すると、当該傾きを示す検知信号を後述する制御ユニット２００の表示制御部２０２や操作受付部２０３等に出力する。
【００３３】
ＨＤＤ２３０は、大容量の記憶装置であって、画像形成装置１０から送信された画像等の各種データを記憶する。
【００３４】
制御ユニット２００は、ＣＰＵ、ＲＡＭ、及びＲＯＭ等から構成される。制御ユニット２００は、上記のＲＯＭ又はＨＤＤ２３０に記憶された制御プログラムが上記のＣＰＵに実行されることにより、制御部２０１、表示制御部２０２、操作受付部２０３、および通信制御部２０４として機能する。なお、制御ユニット２００の制御部２０１、表示制御部２０２、操作受付部２０３、および通信制御部２０４は、上記の制御プログラムに基づく動作によらず、それぞれハード回路により構成されてもよい。
【００３５】
制御部２０１は、携帯端末装置２０の全体的な動作制御を司る。制御部２０１は、表示部２１０、センサー部２２０、ＨＤＤ２３０、ネットワークインターフェイス部２４０等と接続されている。制御部２０１は、接続されている上記各機構の動作制御や、各機構との間での信号又はデータの送受信を行う。
【００３６】
通信制御部２０４は、ネットワークインターフェイス部２４０を制御して、画像形成装置１０とデータの送受信を行う。具体的には、通信制御部２０４は、画像形成装置１０が読み取った画像を受信する受信部と、ユーザー操作に基づき決定される画像の移動量および回転量を画像形成装置１０に送信する送信部として機能する。
【００３７】
操作受付部２０３は、タッチパネル２１２から出力される検知信号に基づきユーザーにより入力されたユーザー操作を特定する。そして、操作受付部２０３は、特定したユーザー操作を受け付け、当該ユーザー操作に対応する制御信号を制御ユニット２００の制御部２０１や表示制御部２０２等に出力する。
【００３８】
ここでユーザー操作には、スワイプ操作、タップ操作、ピンチ操作、回転操作等がある。例えば、ユーザーが表示部２１０の表示画面上に指を接触させた状態で、指を表示画面上でスライド移動させると、最初に接触を検出した初期位置から、最後に接触を検出した最終位置までの各移動位置を示す検知信号がタッチパネル２１２により操作受付部２０３に出力される。操作受付部２０３は、タッチパネル２１２から出力される上記検知信号から、操作者により入力されたユーザー操作がスワイプ操作であることを特定する。そして、操作受付部２０３は、スワイプ操作に対応する制御信号を制御部２０１や表示制御部２０２等に出力する。
【００３９】
表示制御部２０２は、操作受付部２０３が受け付けたユーザー操作に基づき、表示部２１０による表示動作を制御する機能を有する。例えば、操作受付部２０３がスワイプ操作を受け付けた場合、表示制御部２０２は、当該スワイプ操作に従い表示部２１０に表示される画像を移動させる。このとき、表示制御部２０２は、画像を構成する各画素の位置を、操作受付部２０３が受け付けたスワイプ操作の操作速度等に基づく量だけ水平方向および垂直方向に移動させる。そして、表示制御部２０２は、当該画像を移動させた移動量を記憶する。
【００４０】
また、操作受付部２０３が回転操作を受け付けた場合、表示制御部２０２は、当該回転操作に従い表示部２１０に表示される画像を回転させる。このとき、表示制御部２０２は、画像を構成する各画素の位置を、操作受付部２０３が受け付けた回転操作の回転量等に基づく量だけ回転移動させる。そして、操作受付部２０３は、当該画像を回転移動させた回転量を記憶する。上記の操作受付部２０３により記憶された移動量および回転量は、画像を形成すべき旨の指示が受け付けられた際に、通信制御部２０４により、画像を形成すべき旨の指示とともに、画像形成装置１０に送信される。
【００４１】
続いて、上記の構成を備える画像形成システム１の動作について説明する。図４は、画像形成システム１における画像形成動作の流れを示すフローチャートである。
【００４２】
図４に示すように、画像形成装置１０の画像読取部１１０は、コンタクトガラスに載置された原稿等を光学的に読み取って画像を生成する（ステップＳ１０）。
【００４３】
画像を読み取った後、通信制御部１０３は、ネットワークインターフェイス部１７０を介して、読み取られた画像を当該画像の表示先として携帯端末装置２０に送信する（ステップＳ１１）。
【００４４】
携帯端末装置２０の通信制御部２０４は、ネットワークインターフェイス部２４０を介して、画像形成装置１０から送信された画像を受信する（ステップＳ２０）。そして、表示制御部２０２は、受信した画像をプレビュー画像として表示部２１０に表示させる（ステップＳ２１）。
【００４５】
受信した画像をプレビュー画像として表示部２１０に表示した状態において、操作受付部２０３は、タッチパネル２１２から出力される検知信号に基づきユーザーにより入力されたユーザー操作を特定する（ステップＳ２２）。操作受付部２０３は、タッチパネル２１２から出力される検知信号からスクロール操作または回転操作を受け付けた場合（ステップＳ２２においてＹＥＳ）、このジェスチャ操作に基づき、表示部２１０に表示される画像を移動または回転させる（ステップＳ２３）。この際、操作受付部２０３は、画像を移動させた移動量および画像を回転移動させた回転量を記憶する。
【００４６】
上記のステップＳ２２およびＳ２３の処理について具体的な例を用いて説明する。図５（Ａ）及び図５（Ｂ）は、ユーザーの回転操作により修正される画像の一例を示す図である。図６（Ａ）及び図６（Ｂ）は、ユーザーのスワイプ操作により修正される画像の一例を示す図である。
【００４７】
図５（Ａ）に示される例では、コンタクトガラス上に原稿が傾いた状態で載置され、その状態で画像読取部１１０による読み取りが行われたために、表示部２１０に表示される画像Ｄ２には、花の画像が傾いて表示されている。この状態において、ユーザーにより回転操作が入力され、操作受付部２０３が回転操作を受け付けた場合、表示制御部２０２は、当該回転操作に従い表示部２１０に表示される画像を回転させる（図５（Ｂ）参照）。このように、傾いた状態で画像が読み取られた場合であっても、直観的な操作で画像を所望の向きに変更することができる。
【００４８】
また、図６（Ａ）に示される例では、コンタクトガラス上に原稿がずれた状態で載置され、その状態で画像読取部１１０による読み取りが行われたために、表示部２１０に表示される画像Ｄ２には、花の画像が中央からずれて表示されている。この状態において、ユーザーによりスワイプ操作が入力され、操作受付部２０３がスワイプ操作を受け付けた場合、表示制御部２０２は、当該スワイプ操作に従い表示部２１０に表示される画像を移動させる（図６（Ｂ）参照）。このように、ずれた状態で画像が読み取られた場合であっても、直観的な操作で画像を所望の位置に変更することができる。
【００４９】
図４に戻って、上記のステップ２２およびステップ２３による画像の移動および回転処理後、操作受付部２０３は、画像を形成すべき旨の指示を受け付けたか否かを判定する（ステップＳ２４）。図５（Ａ）、図５（Ｂ）、図６（Ａ）および図６（Ｂ）に示す例では、ユーザーによるジェスチャ操作後に、ユーザーがボタンＤ３をタッチパネル２１２によるタッチパネル機能を用いて選択すると、操作受付部２０３により、画像を形成すべき旨の指示が受け付けられる。
【００５０】
画像を形成すべき旨の指示を受け付けた場合（ステップＳ２４においてＹＥＳ）、通信制御部２０４は、画像を形成すべき旨の指示とともに、表示制御部２０２が記憶した画像の移動量および回転量を画像形成装置１０に送信する（ステップＳ２５）。
【００５１】
画像形成装置１０の通信制御部１０３は、携帯端末装置２０から送信された画像を形成すべき無目の指示、画像の移動量および回転量を受信する（ステップＳ１２）。そして、画像処理部１０２は、画像読取部１１０により読み取られＨＤＤ１６０に記憶された画像に対して、受信した移動量の移動処理および受信した回転量の回転処理を実行する（ステップＳ１３）。
【００５２】
ステップＳ１３の後、画像処理部１０２は、画像を構成する各画素の位置を上記の移動処理および回転処理で移動させたために画素が欠落した領域に白画像を挿入する（ステップＳ１４）。
【００５３】
制御部１０１は、画像形成部１２０を制御して、ステップＳ１３およびステップＳ１４において修正した画像の画像形成処理を実行する（ステップＳ１５）。
【００５４】
以上のように、本実施の形態にかかる画像形成システム１によれば、傾いて読み取られた画像等がプレビュー画像として表示された場合であっても、携帯端末装置２０において画像を修正することが可能であるため、再度原稿を画像形成装置にセットして画像を読み取る必要がない。
【００５５】
また、本実施の形態にかかる画像形成システム１によれば、画像読取部１１０により読み取られた画像を、通常小型かつ低解像度である画像形成装置に搭載された表示パネルではなく、外部の携帯端末装置２０に送信して、当該携帯端末装置２０においてプレビュー画像として表示する。携帯端末装置２０に搭載されたディスプレイ２１１は、一般に画像形成装置に搭載されたディスプレイよりも高輝度、高解像度、高応答速度を有するディスプレイであり、プレビュー画像の視認性に優れる。また、携帯端末装置２０に搭載されるタッチパネル２１２は、通常の画像形成装置に搭載されるタッチパネルよりも高感度であり、画像を修正する際の操作性に優れる。さらに、携帯端末装置２０では、タッチパネル機能を用いたジェスチャ操作により画像の修正が可能であり、直観的かつ操作性に優れたユーザー操作で画像を修正して画像形成を行うことができる。
【００５６】
なお、本発明は、上記の実施の形態の構成に限られず種々の変形が可能である。例えば、上記実施形態では、本発明にかかる携帯端末装置の一実施形態としてスマートフォン等の携帯モバイル機器を示しているが、本発明は必ずしもこの場合に限定されない。本発明は、スマートフォン等の携帯モバイル機器の他に、例えば、パーソナルコンピューター等の表示部を有する機器に適用が可能である。
【００５７】
また、上記の実施の形態では、スワイプ操作や回転操作といったタッチパネル２１２のタッチパネル機能を用いたジェスチャ操作により、携帯端末装置２０の表示部２１０に表示された画像を修正する場合を説明したが、本発明は必ずしもこの場合に限定されない。例えば、携帯端末装置２０を傾ける操作や携帯端末装置２０を上下左右方向に移動させる動作により、携帯端末装置２０の表示部２１０に表示された画像を修正してもよい。
【００５８】
図７（Ａ）及び図７（Ｂ）は、携帯端末装置２０を傾ける操作により修正される画像の一例を示す図である。図８（Ａ）及び図８（Ｂ）は、携帯端末装置２０を移動させる操作により修正される画像の一例を示す図である。
【００５９】
図７（Ａ）に示される例では、コンタクトガラス上に原稿が傾いた状態で載置され、その状態で画像読取部１１０による読み取りが行われたために、表示部２１０に表示される画像Ｄ２には、花の画像が傾いて表示されている。この状態において、ユーザーにより携帯端末装置２０が傾けられると、傾きセンサー２２２により携帯端末装置２０の傾きが検知され、当該傾きを示す検知信号が操作受付部２０３に出力される。操作受付部２０３が携帯端末装置２０を傾ける操作を受け付けた場合、表示制御部２０２は、当該傾ける操作に従い表示部２１０に表示される画像を回転させる（図７（Ｂ）参照）。具体的には、表示制御部２０２は、画像を構成する各画素の位置を、携帯端末装置２０を傾けた方向とは逆方向にその傾けた角度に応じた角度だけ回転移動させる。
【００６０】
また、図８（Ｂ）に示される例では、コンタクトガラス上に原稿がずれた状態で載置され、その状態で画像読取部１１０による読み取りが行われたために、表示部２１０に表示される画像Ｄ２には、花の画像が中央からずれて表示されている。この状態において、ユーザーにより携帯端末装置２０が移動させられると、加速度センサー２２１により携帯端末装置２０の移動が検知され、当該移動を示す検知信号が操作受付部２０３に出力される。操作受付部２０３が携帯端末装置２０を移動させる操作を受け付けた場合、表示制御部２０２は、当該移動動作に従い表示部２１０に表示される画像を移動させる（図８（Ｂ）参照）。具体的には、表示制御部２０２は、画像を構成する各画素の位置を、携帯端末装置２０を移動させた方向とは逆方向にその移動量に応じた量だけ移動させる。
【００６１】
このように、上記の変形例では、タッチパネル２１２のタッチパネル機能を用いたジェスチャ操作により画像を修正する場合と同様に直観的なユーザー操作で画像を修正して画像形成を行うことができる。
【符号の説明】
【００６２】
１      画像形成システム
１０    画像形成装置
２０    携帯端末装置
１００  制御ユニット
１０１  制御部
１０２  画像処理部
１０３  通信制御部
１１０  画像読取部
１２０  画像形成部
１５０  表示部
１７０  ネットワークインターフェイス部
２００  制御ユニット
２０１  制御部
２０２  表示制御部
２０３  操作受付部
２０４  通信制御部
２１０  表示部
２１１  ディスプレイ
２１２  タッチパネル
２２０  センサー部
２２１  加速度センサー
２２２  傾きセンサー
２４０  ネットワークインターフェイス部
【図１】
2015142272.tif 000003
【図２】
2015142272.tif 000004
【図３】
2015142272.tif 000005
【図４】
2015142272.tif 000006
【図６】
2015142272.tif 000007
【図７】
2015142272.tif 000008
【図８】
2015142272.tif 000009
【図５】
2015142272.tif 000010